【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
電子デバイス上でのワイヤレス通信のための方法であって、
遠隔近距離無線通信（ＮＦＣ）エンドポイントと取引を開始することと、
ルーティングテーブルに基づいて、複数のセキュアエレメントの中から、前記取引に対して第１のセキュアエレメントを選択することと、ここにおいて、前記ルーティングテーブルは、取引タイプに対して、好ましいセキュアエレメントを割り当てる、
前記電子デバイスが低電力モードであり、デバイスホストが利用できないとき前記第１のセキュアエレメントを使用してユーザ確認なしに前記取引を完了することと、
前記デバイスホストが利用可能であるとき前記第１のセキュアエレメントを使用して前記取引が完了したことをユーザに通知することと、
前記第１のセキュアエレメントの代わりに、前記取引の取引タイプに対して好ましいセキュアエレメントとして第２のセキュアエレメントを使用するというコマンドを受信することと、
前記受信されたコマンドに基づいて、前記ルーティングテーブルにおいて前記取引の前記取引タイプに対して前記好ましいセキュアエレメントとして前記第２のセキュアエレメントを割り当てることと
を備える方法。
【請求項２】
前記取引に対して前記第１のセキュアエレメントを選択することは、
前記取引の前記取引タイプを決定することと、
前記第１のセキュアエレメントが前記取引タイプに対して前記好ましいセキュアエレメントであることを決定するために前記ルーティングテーブルを使用することと
を備える、請求項１に記載の方法。
【請求項３】
同じ取引タイプを有する次の取引に対して前記第２のセキュアエレメントを動的に選択することをさらに備える、請求項１に記載の方法。
【請求項４】
前記複数のセキュアエレメントの開始において提供される取引タイプに対するユーザの好みに基づいて、前記ルーティングテーブルを作成することをさらに備える、請求項１に記載の方法。
【請求項５】
前記ルーティングテーブルの取引タイプは、１つまたは複数のカテゴリに編成される、請求項１に記載の方法。
【請求項６】
前記１つまたは複数のカテゴリは、購入カテゴリ及び施設カテゴリのうちの少なくとも１つを備える、請求項５に記載の方法。
【請求項７】
前記ルーティングテーブルは、ＮＦＣコントローラに送られる、請求項１に記載の方法。
【請求項８】
前記ＮＦＣコントローラの支払いシステムは、取引に対してどのセキュアエレメントを選択するかを決定するために前記ルーティングテーブルを使用する、請求項７に記載の方法。
【請求項９】
ワイヤレス通信のための電子デバイスであって、
プロセッサと、
前記プロセッサと電子通信しているメモリと、
前記メモリに記憶された命令と
を備え、前記命令は、前記プロセッサによって、
遠隔近距離無線通信（ＮＦＣ）エンドポイントと取引を開始することと、
ルーティングテーブルに基づいて、複数のセキュアエレメントの中から、前記取引に対して第１のセキュアエレメントを選択することと、ここにおいて、前記ルーティングテーブルは、取引タイプに対して、好ましいセキュアエレメントを割り当てる、
前記電子デバイスが低電力モードであり、デバイスホストが利用できないとき前記第１のセキュアエレメントを使用してユーザ確認なしに前記取引を完了することと、
前記デバイスホストが利用可能であるとき前記第１のセキュアエレメントを使用して前記取引が完了したことをユーザに通知することと、
前記第１のセキュアエレメントの代わりに、前記取引の取引タイプに対して好ましいセキュアエレメントとして第２のセキュアエレメントを使用するというコマンドを受信することと、
前記受信されたコマンドに基づいて、前記ルーティングテーブルにおいて前記取引の前記取引タイプに対して前記好ましいセキュアエレメントとして前記第２のセキュアエレメントを割り当てることと
を実行可能である、電子デバイス。
【請求項１０】
前記取引に対して前記第１のセキュアエレメントを選択することを実行可能である前記命令は、
前記取引の前記取引タイプを決定することと、
前記第１のセキュアエレメントが前記取引タイプに対して前記好ましいセキュアエレメントであることを決定するために前記ルーティングテーブルを使用することと
を実行可能である命令を備える、請求項９に記載の電子デバイス。
【請求項１１】
同じ取引タイプを有する次の取引に対して前記第２のセキュアエレメントを動的に選択することを実行可能である命令をさらに備える、請求項９に記載の電子デバイス。
【請求項１２】
前記複数のセキュアエレメントの開始において提供される取引タイプに対するユーザの好みに基づいて、前記ルーティングテーブルを作成することを実行可能である命令をさらに備える、請求項９に記載の電子デバイス。
【請求項１３】
前記ルーティングテーブルの取引タイプは、１つまたは複数のカテゴリに編成される、請求項９に記載の電子デバイス。
【請求項１４】
前記ルーティングテーブルは、ＮＦＣコントローラに送られる、請求項９に記載の電子デバイス。
【請求項１５】
命令を有する非一時的な有形なコンピュータ読取可能な媒体を備える、ワイヤレス通信のためのコンピュータプログラム製品であって、前記命令は、
前記電子デバイスに、遠隔近距離無線通信（ＮＦＣ）エンドポイントと取引を開始させるためのコードと、
前記電子デバイスに、ルーティングテーブルに基づいて、複数のセキュアエレメントの中から、前記取引に対して第１のセキュアエレメントを選択させるためのコードと、ここにおいて、前記ルーティングテーブルは、取引タイプに対して、好ましいセキュアエレメントを割り当てる、
前記電子デバイスに、前記電子デバイスが低電力モードであり、デバイスホストが利用できないとき前記第１のセキュアエレメントを使用してユーザ確認なしに前記取引を完了させるためのコードと、
前記電子デバイスに、前記デバイスホストが利用可能であるとき前記第１のセキュアエレメントを使用して前記取引が完了したことをユーザに通知させるためのコードと、
前記電子デバイスに、前記第１のセキュアエレメントの代わりに、前記取引の取引タイプに対して好ましいセキュアエレメントとして第２のセキュアエレメントを使用するというコマンドを受信させるためのコードと、
前記電子デバイスに、前記受信されたコマンドに基づいて、前記ルーティングテーブルにおいて前記取引の前記取引タイプに対して前記好ましいセキュアエレメントとして前記第２のセキュアエレメントを割り当てさせるためのコードと
を備える、コンピュータプログラム製品。
【請求項１６】
前記電子デバイスに、前記取引に対して前記第１のセキュアエレメントを選択させるための前記コードは、
前記電子デバイスに、前記取引の前記取引タイプを決定させるためのコードと、
前記電子デバイスに、前記第１のセキュアエレメントが前記取引タイプに対して前記好ましいセキュアエレメントであることを決定するために前記ルーティングテーブルを使用させるためのコードと
を備える、請求項１５に記載のコンピュータプログラム製品。
【請求項１７】
前記電子デバイスに、同じ取引タイプを有する次の取引に対して前記第２のセキュアエレメントを動的に選択させるためのコードをさらに備える、請求項１５に記載のコンピュータプログラム製品。
【請求項１８】
前記電子デバイスに、前記複数のセキュアエレメントの開始において提供される取引タイプに対するユーザの好みに基づいて、前記ルーティングテーブルを作成させるためのコードをさらに備える、請求項１５に記載のコンピュータプログラム製品。
【請求項１９】
前記ルーティングテーブルの取引タイプは、１つまたは複数のカテゴリに編成される、請求項１５に記載のコンピュータプログラム製品。
【請求項２０】
前記ルーティングテーブルは、ＮＦＣコントローラに送られる、請求項１５に記載のコンピュータプログラム製品。
【請求項２１】
ワイヤレス通信のための装置であって、
遠隔近距離無線通信（ＮＦＣ）エンドポイントと取引を開始するための手段と、
ルーティングテーブルに基づいて、複数のセキュアエレメントの中から、前記取引に対して第１のセキュアエレメントを選択するための手段と、ここにおいて、前記ルーティングテーブルは、取引タイプに対して、好ましいセキュアエレメントを割り当てる、
前記電子デバイスが低電力モードであり、デバイスホストが利用できないとき前記第１のセキュアエレメントを使用してユーザ確認なしに前記取引を完了するための手段と、
前記デバイスホストが利用可能であるとき前記第１のセキュアエレメントを使用して前記取引が完了したことをユーザに通知するための手段と、
前記第１のセキュアエレメントの代わりに、前記取引の取引タイプに対して好ましいセキュアエレメントとして第２のセキュアエレメントを使用するというコマンドを受信するための手段と、
前記受信されたコマンドに基づいて、前記ルーティングテーブルにおいて前記取引の前記取引タイプに対して前記好ましいセキュアエレメントとして前記第２のセキュアエレメントを割り当てるための手段と
を備える装置。
【請求項２２】
前記取引に対して前記第１のセキュアエレメントを選択するための前記手段は、
前記取引の前記取引タイプを決定するための手段と、
前記第１のセキュアエレメントが前記取引タイプに対して前記好ましいセキュアエレメントであることを決定するために前記ルーティングテーブルを使用するための手段と
を備える、請求項２１に記載の装置。
【請求項２３】
同じ取引タイプを有する次の取引に対して前記第２のセキュアエレメントを動的に選択するための手段をさらに備える、請求項２１に記載の装置。
【請求項２４】
前記複数のセキュアエレメントの開始において提供される取引タイプに対するユーザの好みに基づいて、前記ルーティングテーブルを作成するための手段をさらに備える、請求項２１に記載の装置。
【請求項２５】
前記ルーティングテーブルの取引タイプは、１つまたは複数のカテゴリに編成される、請求項２１に記載の装置。
【請求項２６】
前記ルーティングテーブルは、ＮＦＣコントローラに送られる、請求項２１に記載の装置。
【手続補正２】
【補正対象書類名】明細書
【補正対象項目名】０１１１
【補正方法】変更
【補正の内容】
【０１１１】
[00118]  特許請求の範囲は、上記に例示されたまさにその構成及びコンポーネントに制限されないことが理解されるべきである。様々な修正、変更、及び変形が、特許請求の範囲から逸脱することなく、本明細書で説明されるシステム、方法、及び装置の配置、動作及び詳細において行われうる。
以下に本願発明の当初の特許請求の範囲に記載された発明を付記する。
［Ｃ１］
ワイヤレス通信のための方法であって、
複数のセキュアエレメントについてルーティングテーブルを使用することと、ここにおいて、前記ルーティングテーブルは、取引タイプに対して、好ましいセキュアエレメントを割り当てる、
前記ルーティングテーブルに基づいて、取引に対して第１のセキュアエレメントを選択することと、
前記取引を完了するために第２のセキュアエレメントを使用するという受信されたコマンドに基づいて、前記ルーティングテーブルを更新することと
を備える方法。
［Ｃ２］
前記取引に対して前記第１のセキュアエレメントを選択することは、
前記取引の取引タイプを決定することと、
前記第１のセキュアエレメントが前記取引タイプに対して前記好ましいセキュアエレメントであることを決定するために、前記ルーティングテーブルを使用することと
を備える、Ｃ１に記載の方法。
［Ｃ３］
前記ルーティングテーブルを更新することは、
前記取引に対して前記第１のセキュアエレメントを使用するために、ユーザからの確認を要求することと、
前記第１のセキュアエレメントの代わりに、前記取引を完了するために前記第２のセキュアエレメントを使用するという前記コマンドを受信することと、
前記ルーティングテーブルにおいて前記取引タイプに対して前記好ましいセキュアエレメントとして前記第２のセキュアエレメントを割り当てることと
を備える、Ｃ１に記載の方法。
［Ｃ４］
前記更新されたルーティングテーブルに基づいて、同じ取引タイプを有する次の取引に対して前記第２のセキュアエレメントを動的に選択することをさらに備える、Ｃ１に記載の方法。
［Ｃ５］
前記複数のセキュアエレメントの開始において提供される取引タイプに対するユーザの好みに基づいて、前記ルーティングテーブルを作成することをさらに備える、Ｃ１に記載の方法。
［Ｃ６］
前記ルーティングテーブルの取引タイプは、１つまたは複数のカテゴリに編成される、Ｃ１に記載の方法。
［Ｃ７］
前記１つまたは複数のカテゴリは、購入カテゴリ及び施設カテゴリのうちの少なくとも１つを備える、Ｃ６に記載の方法。
［Ｃ８］
前記ルーティングテーブルは、近距離無線通信（ＮＦＣ）コントローラに送られる、Ｃ１に記載の方法。
［Ｃ９］
前記ＮＦＣコントローラの支払いシステムは、特定の取引に対してどのセキュアエレメントを選択するかを決定するために前記ルーティングテーブルを使用する、Ｃ８に記載の方法。
［Ｃ１０］
ワイヤレス通信のための電子デバイスであって、
プロセッサと、
前記プロセッサと電子通信しているメモリと、
前記メモリに記憶された命令と
を備え、前記命令は、前記プロセッサによって、
複数のセキュアエレメントについてルーティングテーブルを使用することと、ここにおいて、前記ルーティングテーブルは、取引タイプに対して、好ましいセキュアエレメントを割り当てる、
前記ルーティングテーブルに基づいて、取引に対して第１のセキュアエレメントを選択することと、
前記取引を完了するために第２のセキュアエレメントを使用するという受信されたコマンドに基づいて、前記ルーティングテーブルを更新することと
を実行可能である、電子デバイス。
［Ｃ１１］
前記取引に対して前記第１のセキュアエレメントを選択することを実行可能である前記命令は、
前記取引の取引タイプを決定することと、
前記第１のセキュアエレメントが前記取引タイプに対して前記好ましいセキュアエレメントであることを決定するために前記ルーティングテーブルを使用することと
を実行可能である命令を備える、Ｃ１０に記載の電子デバイス。
［Ｃ１２］
前記ルーティングテーブルを更新することを実行可能である前記命令は、
前記取引に対して前記第１のセキュアエレメントを使用するために、ユーザからの確認を要求することと、
前記第１のセキュアエレメントの代わりに、前記取引を完了するために前記第２のセキュアエレメントを使用するという前記コマンドを受信することと、
前記ルーティングテーブルにおいて前記取引タイプに対して前記好ましいセキュアエレメントとして前記第２のセキュアエレメントを割り当てることと
を実行可能である命令を備える、Ｃ１０に記載の電子デバイス。
［Ｃ１３］
前記更新されたルーティングテーブルに基づいて、同じ取引タイプを有する次の取引に対して前記第２のセキュアエレメントを動的に選択することを実行可能である命令をさらに備える、Ｃ１０に記載の電子デバイス。
［Ｃ１４］
前記複数のセキュアエレメントの開始において提供される取引タイプに対するユーザの好みに基づいて、前記ルーティングテーブルを作成することを実行可能である命令をさらに備える、Ｃ１０に記載の電子デバイス。
［Ｃ１５］
前記ルーティングテーブルの取引タイプは、１つまたは複数のカテゴリに編成される、Ｃ１０に記載の電子デバイス。
［Ｃ１６］
前記ルーティングテーブルは、近距離無線通信（ＮＦＣ）コントローラに送られる、Ｃ１０に記載の電子デバイス。
［Ｃ１７］
命令を有する非一時的な有形なコンピュータ読取可能な媒体を備える、ワイヤレス通信のためのコンピュータプログラム製品であって、前記命令は、
電子デバイスに、複数のセキュアエレメントについてルーティングテーブルを使用させるためのコードと、ここにおいて、前記ルーティングテーブルは、取引タイプに対して、好ましいセキュアエレメントを割り当てる、
前記電子デバイスに、前記ルーティングテーブルに基づいて、取引に対して第１のセキュアエレメントを選択させるためのコードと、
前記電子デバイスに、前記取引を完了するために第２のセキュアエレメントを使用するという受信されたコマンドに基づいて、前記ルーティングテーブルを更新させるためのコードと
を備える、コンピュータプログラム製品。
［Ｃ１８］
前記電子デバイスに、前記取引に対して前記第１のセキュアエレメントを選択させるための前記コードは、
前記電子デバイスに、前記取引の取引タイプを決定させるためのコードと、
前記電子デバイスに、前記第１のセキュアエレメントが前記取引タイプに対して前記好ましいセキュアエレメントであることを決定するために前記ルーティングテーブルを使用させるためのコードと
を備える、Ｃ１７に記載のコンピュータプログラム製品。
［Ｃ１９］
前記電子デバイスに、前記ルーティングテーブルを更新させるための前記コードは、
前記電子デバイスに、前記取引に対して前記第１のセキュアエレメントを使用するために、ユーザからの確認を要求させるためのコードと、 
前記電子デバイスに、前記第１のセキュアエレメントの代わりに、前記取引を完了するために、前記第２のセキュアエレメントを使用するという前記コマンドを受信させるためのコードと、
前記電子デバイスに、前記ルーティングテーブルにおいて前記取引タイプに対して前記好ましいセキュアエレメントとして前記第２のセキュアエレメントを割り当てさせるためのコードと
を備える、Ｃ１７に記載のコンピュータプログラム製品。
［Ｃ２０］
前記電子デバイスに、前記更新されたルーティングテーブルに基づいて、同じ取引タイプを有する次の取引のために前記第２のセキュアエレメントを動的に選択させるためのコードをさらに備える、Ｃ１７に記載のコンピュータプログラム製品。
［Ｃ２１］
前記電子デバイスに、前記複数のセキュアエレメントの開始において提供される取引タイプに対するユーザの好みに基づいて、前記ルーティングテーブルを作成させるためのコードをさらに備える、Ｃ１７に記載のコンピュータプログラム製品。
［Ｃ２２］
前記ルーティングテーブルの取引タイプは、１つまたは複数のカテゴリに編成される、Ｃ１７に記載のコンピュータプログラム製品。
［Ｃ２３］
前記ルーティングテーブルは、近距離無線通信（ＮＦＣ）コントローラに送られる、Ｃ１７に記載のコンピュータプログラム製品。
［Ｃ２４］
ワイヤレス通信のための装置であって、
複数のセキュアエレメントについてルーティングテーブルを使用するための手段と、ここにおいて、前記ルーティングテーブルは、取引タイプに対して、好ましいセキュアエレメントを割り当てる、
前記ルーティングテーブルに基づいて、取引に対して第１のセキュアエレメントを選択するための手段と、
前記取引を完了するために第２のセキュアエレメントを使用するという受信されたコマンドに基づいて、前記ルーティングテーブルを更新するための手段と
を備える装置。
［Ｃ２５］
前記取引に対して前記第１のセキュアエレメントを選択するための前記手段は、
前記取引の取引タイプを決定するための手段と、
前記第１のセキュアエレメントが前記取引タイプに対して前記好ましいセキュアエレメントであることを決定するために前記ルーティングテーブルを使用するための手段と
を備える、Ｃ２４に記載の装置。
［Ｃ２６］
前記ルーティングテーブルを更新するための前記手段は、
前記取引に対して前記第１のセキュアエレメントを使用するために、ユーザからの確認を要求するための手段と、
前記第１のセキュアエレメントの代わりに、前記取引を完了するために前記第２のセキュアエレメントを使用するという前記コマンドを受信するための手段と、
前記ルーティングテーブルにおいて前記取引タイプに対して前記好ましいセキュアエレメントとして前記第２のセキュアエレメントを割り当てるための手段と
を備える、Ｃ２４に記載の装置。
［Ｃ２７］
前記更新されたルーティングテーブルに基づいて、同じ取引タイプを有する次の取引に対して前記第２のセキュアエレメントを動的に選択するための手段をさらに備える、Ｃ２４に記載の装置。
［Ｃ２８］
前記複数のセキュアエレメントの開始において提供される取引タイプに対するユーザの好みに基づいて、前記ルーティングテーブルを作成するための手段をさらに備える、Ｃ２４に記載の装置。
［Ｃ２９］
前記ルーティングテーブルの取引タイプは、１つまたは複数のカテゴリに編成される、Ｃ２４に記載の装置。
［Ｃ３０］
前記ルーティングテーブルは、近距離無線通信（ＮＦＣ）コントローラに送られる、Ｃ２４に記載の装置。